(57)【要約】【課題】耐久性に優れた索体巻取器具を提供する。【解決手段】ロープ１２は、一端がドラム１８に固定され、他端は、固定壁１０３に形成されている穴、コイルばね２０の内側、規制部材１３の内部を通って弾性部材１４に繋がれている。規制部材１３の第１部分１３１は、一端が固定されたコイルばね２０に接して一部がケース１０外に位置し、第２部分１３２は、第１開口部１０１の直径より大きく、ケース１０外に位置する。引き取られたロープが巻き取られる際には、弾性部材１４が第２部分１３２に衝突し、第１開口部１０１には衝突しないため、第１開口部１０１周辺の破損が抑えられる。コイルばね２０から規制部材１３に作用している力は、衝突時に弾性部材１４から規制部材１３に作用する力の反力となり、固定壁１０３周辺に第１部分１３１が衝突するのを抑え、第１開口部１０１周辺に第２部分１３２が衝突するのを抑えられる。【選択図】図３
2020198935.tif 000002
【特許請求の範囲】
【請求項１】
軸周りに回転し、スプリングにより軸周りの一方向に付勢されたドラムと、
前記ドラムを収容するケースと、
前記ケース内に配置される緩衝部材と、
前記ドラムに巻き取られる索体と、
前記索体が通過する前記ケースに設けられた出入口を貫通し、前記索体の移動方向に所定範囲内で移動可能に配置され、前記緩衝部材により前記索体が引き出される方向に付勢され、前記索体の一端に連結された物体の前記ケースへの進入を規制する規制部材と
を備える索体巻取器具。
【請求項２】
前記ドラムが前記スプリングから受ける軸周りの力の大きさを調整する調整機構を備え、
前記緩衝部材の伸縮の度合いが前記ケースの外から視認可能である
請求項１に記載の索体巻取器具。
【発明の詳細な説明】
【技術分野】
【０００１】
本発明は、索体巻取器具に関する。
【背景技術】
【０００２】
スプリングにより付勢されたドラムでロープ等の索体を巻き取る索体巻取器具がある。例えば、特許文献１には、ケース体に収容され、スプリングにより軸周りに付勢されるドラムと、当該ドラムにより巻き取られるロープの一端に設置された把手部とを備える健康促進器具が記載されている。特許文献１に記載の健康促進器具によれば、ユーザは把手部を把持しケース体からロープを引き出しては戻す、という運動を繰り返し行うことで、健康を促進できる。
【先行技術文献】
【特許文献】
【０００３】
【特許文献１】特開平１１−２４４４１３号公報
【発明の概要】
【発明が解決しようとする課題】
【０００４】
例えば、特許文献１に記載の健康促進器具のユーザがケース体の開口部からロープを引き出した後、ロープに加えている力を急速に緩めると、ロープはスプリングの巻取力によりドラムに巻き取られる。スプリングの巻取力が強く、ロープが高速で巻き取られると、ロープの一端に設置された把手部がケース体に衝突し、ケース体又は把手部が破損するおそれがある。そこで、特許文献１に記載の健康促進器具には、把手部のケース体側に合成樹脂等で形成された緩衝材が設置されている。ロープの巻き取り時においては、把手部はこの緩衝材を挟んでケースと衝突するため、緩衝材がない場合と比較すると、ケース体及び把手部が破損しにくくなる。
【０００５】
しかしながら、特許文献１に記載の健康促進器具においては、ロープが高速で巻き取られると、緩衝材がケース体の開口部に高速で衝突するため、衝突が繰り返されると緩衝材や開口部が劣化してしまう。
【０００６】
上述の事情に鑑み、本発明は、耐久性に優れた索体巻取器具を提供する。
【課題を解決するための手段】
【０００７】
本発明は、軸周りに回転し、スプリングにより軸周りの一方向に付勢されたドラムと、前記ドラムを収容するケースと、前記ケース内に配置される緩衝部材と、前記ドラムに巻き取られる索体と、前記索体が通過する前記ケースに設けられた出入口を貫通し、前記索体の移動方向に所定範囲内で移動可能に配置され、前記緩衝部材により前記索体が引き出される方向に付勢され、前記索体の一端に連結された物体の前記ケースへの進入を規制する規制部材とを備える索体巻取器具を提供する。
【０００８】
本発明においては、前記ドラムが前記スプリングから受ける軸周りの力の大きさを調整する調整機構を備え、前記緩衝部材の伸縮の度合いが前記ケースの外から視認可能である構成としてもよい。
【発明の効果】
【０００９】
本発明によれば、索体巻取器具の耐久性を向上させることができる。
【図面の簡単な説明】
【００１０】
【図１】本発明の一実施形態に係る索体巻取器具１の斜視図。
【図２】索体巻取器具１の平面図。
【図３】索体巻取器具１の内部を示す図。
【図４】ロープ１２を引き出した状態を示す図。
【図５】ぜんまいばね１９のトルクを増大させた状態を示す図。
【図６】ぜんまいばね１９のトルクを減少させた状態を示す図。
【図７】変形例を示す図。
【発明を実施するための形態】
【００１１】
［実施形態］
図１は、本発明の一実施形態に係る索体巻取器具１の斜視図、図２は索体巻取器具１の平面図、図３は、索体巻取器具１の内部を示す図である。索体巻取器具１は、内部にロープ１２を収容し、内部から引き出されたロープ１２を自動で巻き取ることが可能な器具である。
【００１２】
索体巻取器具１は、ケース１０、バンド１１、ロープ１２、規制部材１３、弾性部材１４、ストラップ１５、ハンドル１６、調整ノブ１７を有する。また、索体巻取器具１は、内部にドラム１８、ぜんまいばね１９、コイルばね２０を有する。
【００１３】
ケース１０は、ロープ１２を巻き取るドラム１８を収容するケースであり、第１ケース１０Ａと第２ケース１０Ｂで形成されている。ケース１０は、本発明に係るケースの一例である。ケース１０には、内部に貫通し、ロープ１２が引き出される円形の第１開口部１０１が形成されている。第１開口部１０１は、ロープ１２の出入口となる。第１ケース１０Ａには、外面から内面に貫通した矩形の第２開口部１０２が形成されている。第１ケース１０Ａ及び第２ケース１０Ｂの内側には、コイルばね２０の一端を固定してロープ１２が貫通する穴が形成されている固定壁１０３と、コイルばね２０及び規制部材１３の位置を規制する第１規制壁１０４及び第２規制壁１０５が形成されている。固定壁１０３、第１規制壁１０４及び第２規制壁１０５は、矩形の壁であり、第２ケース１０Ｂの内面に対して垂直に形成されている。なお、固定壁１０３、第１規制壁１０４及び第２規制壁１０５の形状は、矩形に限定されるものではなく、他の形状であってもよい。例えば、第１規制壁１０４及び第２規制壁１０５の形状は、円筒を四分割した形状であってもよい。
【００１４】
コイルばね２０は、圧縮コイルばねであり、一端が固定壁１０３に接している。コイルばね２０は、本発明に係る緩衝部材の一例である。コイルばね２０は、第１ケース１０Ａの内面、第２ケース１０Ｂの内面、第１規制壁１０４及び第２規制壁１０５により、径方向への移動が規制される。
【００１５】
規制部材１３は、合成樹脂で形成された筒状の部品であり、本発明に係る規制部材の一例である。規制部材１３は、直径が細い第１部分１３１と、直径が第１部分１３１より太い第２部分１３２とを有する。第１部分１３１の外周面には、マーカー２１が設けられている。第１部分１３１は、第２部分１３２と反対側の端面がコイルばね２０に接して第１規制壁１０４と第２規制壁１０５の間に位置し、第１開口部１０１を通って一部がケース１０外に位置する。第２部分１３２の直径は、第１開口部１０１の直径より大きく、ケース１０外に位置する。規制部材１３は、ロープ１２の移動方向に所定範囲内で移動可能となっている。
【００１６】
ドラム１８は、ロープを巻き取る円筒状の部品であり、本発明に係るドラムの一例である。ぜんまいばね１９は、ドラム１８の内周面より内側に位置し、ロープ１２を巻き取る方向にドラム１８を回転させる。ぜんまいばね１９は、本発明に係るスプリングの一例である。ぜんまいばね１９は、外端がドラム１８の内周面に固定されており、一方向（本実施形態では矢印Ａ方向）に回転させる力をドラム１８に加える。
【００１７】
調整ノブ１７は、ぜんまいばね１９のトルクを調整するノブである。調整ノブ１７は、ドラム１８の中心を貫通する中心軸１７１を有する。中心軸１７１には、ぜんまいばね１９の内端が固定されている。例えば、調整ノブ１７を図２の矢印Ａ方向に回転させると、ぜんまいばね１９のトルクが増加し、調整ノブ１７を図２の矢印Ｂ方向に回転させるとぜんまいばね１９のトルクが減少する。調整ノブ１７は、本発明に係る調整機構の一例である。
【００１８】
ロープ１２は、化学繊維で形成されており、一端がドラム１８に固定されている。ロープ１２の他端は、固定壁１０３に形成されている穴、コイルばね２０の内側、円筒形状の規制部材１３の中空部分を通って弾性部材１４に繋がれている。ロープ１２は、本発明に係る索体の一例である。
【００１９】
弾性部材１４は、弾性を有する部品であり、例えば合成ゴムで形成されている。弾性部材１４には、ストラップ１５が繋がれている。ハンドル１６は、ユーザが握るハンドルであり、円筒形状に形成されている。ストラップ１５の一端側は、円筒形状のハンドル１６の中空部分を通ってループ状となっている。
【００２０】
索体巻取器具１は、例えば、筋力トレーニングに利用される。筋力トレーニングを行うユーザは、バンド１１を支柱に結び付けて索体巻取器具１を支柱に設置し、図４に示すように、ハンドル１６を握ってロープ１２を引き出す。ロープ１２には、ぜんまいばね１９によって引き出す方向と反対方向の力が作用しており、この力が負荷となって筋力トレーニングを行うことができる。
【００２１】
ロープ１２が引き出された状態でユーザがハンドル１６から手を離した場合、ロープ１２がドラム１８に巻き取られ、ロープ１２に繋がっている弾性部材１４が、第１開口部１０１と弾性部材１４との間にある規制部材１３の第２部分１３２に衝突する。弾性部材１４は、第２部分１３２に衝突し、第１開口部１０１には衝突しないため、規制部材１３を備えていない構成と比較すると、第１開口部１０１周辺の破損が抑えられる。
【００２２】
また、弾性部材１４が衝突した規制部材１３には、コイルばね２０側に押す力が弾性部材１４から作用するが、規制部材１３には、弾性部材１４から作用した力とは反対方向の力もコイルばね２０から作用しているため、コイルばね２０から規制部材１３に作用している力が弾性部材１４から規制部材１３に作用する力の反力として作用し、固定壁１０３に規制部材１３が衝突して固定壁１０３が破損するのを抑え、第１開口部１０１周辺に第２部分１３２が衝突して第１開口部周辺が破損するのを抑えられる。
【００２３】
ロープ１２が引き出されていない状態においては、規制部材１３は、コイルばね２０により押され、図２に示すように第２部分１３２が第１開口部１０１から離れた状態となる。図２に示した状態で調整ノブ１７を矢印Ａ方向に回転させると、ぜんまいばね１９のトルクが増加する。ぜんまいばね１９のトルクが増加すると、ドラム１８を矢印Ａ方向に回転させる力が強くなるため、ドラム１８がロープ１２を引く力が強くなる。ドラム１８がロープ１２を引く力が強くなると、ロープ１２に引っ張られている弾性部材１４が規制部材１３をコイルばね２０側に押し込み、図５に示すように、弾性部材１４が規制部材１３を押す力とコイルばね２０が規制部材１３を押す力とが釣り合う位置に規制部材１３が位置する。このとき、第２開口部１０２から見えるマーカー２１が規制部材１３の移動に伴って図２の状態よりコイルばね２０の方向に移動するため、ドラム１８がロープ１２を引く力が大きくなったことをユーザが確認できる。
【００２４】
また、図２に示した状態で調整ノブ１７を矢印Ｂ方向に回転させると、ぜんまいばね１９のトルクが減少する。ぜんまいばね１９のトルクが減少すると、ドラム１８を矢印Ａ方向に回転させる力が弱くなるため、ドラム１８がロープ１２を引く力が弱くなる。ドラム１８がロープ１２を引く力が弱くなると、コイルばね２０が規制部材１３を押し、図６に示すように、弾性部材１４が規制部材１３を押す力とコイルばね２０が規制部材１３を押す力とが釣り合う位置に規制部材１３が位置する。このとき、第２開口部１０２から見えるマーカー２１が規制部材１３の移動に伴って図２の状態よりコイルばね２０とは反対方向に移動するため、ドラム１８がロープ１２を引く力が小さくなったことをユーザが確認できる。
【００２５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２６】
上述した実施形態においては、索体巻取器具１は、ぜんまいばね１９のトルクを調整する調整ノブ１７を備えているが、調整ノブ１７を備えておらず、ぜんまいばね１９のトルクが固定された構成であってもよい。
【００２７】
上述した実施形態においては、規制部材１３を第１開口部１０１側へ押す部品はコイルばね２０であるが、コイルばね２０に限定されるものではない。例えば、コイルばね２０に替えて板ばね、竹の子ばね、又はトーションばねを、規制部材１３を第１開口部１０１側へ押す部品として採用してもよい。また、規制部材１３を第１開口部１０１側へ押す部品は、各種ばねに限定されるものではなく、例えば、弾性を有する合成ゴム、シリコーン又は合成樹脂で形成されたものであってもよい。
【００２８】
上述した実施形態においては、第１ケース１０Ａに第２開口部１０２が形成されているが、第２ケース１０Ｂに第２開口部１０２が形成されている構成、または第１ケース１０Ａ及び第２ケース１０Ｂに第２開口部１０２が形成されている構成であってもよい。また、第２開口部１０２が形成されていない構成であってもよい。なお、第２開口部１０２が形成されていない構成においては、規制部材１３の軸方向に沿って第１部分１３１に目盛りを設けてもよい。第１部分１３１に目盛りを設けた構成の場合、ケース１０より外に出ている目盛りの数により、コイルばね２０の伸縮の度合いを知ることが可能であり、ひいては、ドラム１８がロープ１２を引く力の大きさ、即ち、ぜんまいばね１９のトルクの大きさを知ることができる。
【００２９】
上述した実施形態においては、第２開口部１０２から規制部材１３及びマーカー２１が見える構成となっているが、コイルばね２０と規制部材１３が接する部分が第２開口部１０２から見える構成や、コイルばね２０の伸縮の度合いが第２開口部１０２から見える構成であってもよい。
【００３０】
上述した実施形態においては、ドラム１８に巻き取られる索体であるロープ１２は化学繊維で形成されているが、天然繊維で形成されたロープであってもよい。また、ドラム１８に巻き取られる索体は、化学繊維又は合成繊維のロープ１２に替えてチェーンや金属製のケーブルであってもよい。また、ドラム１８に巻き取られる索体は、帯状の形状であってもよい。
【００３１】
上述した実施形態においては、索体巻取器具１は、バンド１１を備えているが、索体巻取器具１を支柱に設置する部品として、バンド１１に替えてリング又はカラビナを備える構成であってもよい。
【００３２】
上述した実施形態においては、弾性部材１４にストラップ１５が取り付けられているが、ストラップ１５に替えてリングやカラビナを取り付ける構成であってもよい。
【００３３】
上述した実施形態においては、規制部材１３は、合成樹脂で形成されているが、弾性を有する素材で形成されていてもよく、例えば、合成ゴム又はシリコーンで形成されていてもよい。
【００３４】
上述した実施形態においては、ドラム１８に矢印Ａ方向の力を作用させる部品は、ぜんまいばね１９であるが、ドラム１８に矢印Ａ方向の力を作用させる部品であれば種類を問わず、ぜんまいばね１９に限定されるものではなく、例えば、ねじりコイルばねであってもよい。
【００３５】
本発明においては、ロープ１２が弾性部材１４を貫通してストラップ１５に結ばれており、弾性部材１４がロープ１２に沿って移動可能な構成であってもよい。この構成によれば、ロープ１２が引き出された状態でユーザがハンドル１６から手を離した場合、ハンドル１６が弾性部材１４に衝突し、ハンドル１６が接した状態の弾性部材１４が規制部材１３に衝突する。なお、ロープ１２が弾性部材１４を貫通する構成においては、弾性部材１４を貫通したロープ１２の端をリング又はカラビナに結ぶ構成であってもよい。
【００３６】
本発明においては、第１部分１３１の固定壁１０３側の端部にコイルばね２０の一部が収まる凹部を形成し、この凹部にコイルばね２０の一端を収める構成としてもよい。
【００３７】
本発明においては、第１部分１３１の固定壁１０３側の端部の直径を第１開口部１０１の直径より大きくしてもよい。この構成によれば、第１部分１３１がケース１０の外に出るのを防ぐことができる。
【００３８】
固定壁１０３、第１規制壁１０４及び第２規制壁１０５の構成は、図示した構成に限定されるものではなく、他の構成であってもよい。図７は、変形例に係る索体巻取器具１Ａの内部を示す図である。図７において実施形態と同じ構成については同一の符号を付している。例えば、第１部分１３１のコイルばね２０側の端部の直径を第１開口部１０１の直径より大きくする構成においては、図７に示すように、規制部材１３の径方向への移動をケース１０の内壁と第２規制壁１０５Ａで規制してもよい。固定壁１０３Ａ及び第２規制壁１０５Ａは、ケース１０の内面に連続する壁であり、ケース１０の内面に対して垂直に形成されている。固定壁１０３Ａは、コイルばね２０の一端を固定し、ロープ１２が貫通する穴が形成されている。
【符号の説明】
【００３９】
１、１Ａ…索体巻取器具、１０…ケース、１０Ａ…第１ケース、１０Ｂ…第２ケース、１１…バンド、１２…ロープ、１３…規制部材、１４…弾性部材、１５…ストラップ、１６…ハンドル、１７…調整ノブ、１８…ドラム、１９…ぜんまいばね、２０…コイルばね、２１…マーカー、１０１…第１開口部、１０２…第２開口部、１０３、１０３Ａ…固定壁、１０４…第１規制壁、１０５、１０５Ａ…第２規制壁、１３１…第１部分、１３２…第２部分。
【図１】
2020198935.tif 000003
【図２】
2020198935.tif 000004
【図３】
2020198935.tif 000005
【図４】
2020198935.tif 000006
【図５】
2020198935.tif 000007
【図６】
2020198935.tif 000008
【図７】
2020198935.tif 000009